(57)【要約】【課題】機器からの情報の入力を容易にし、メンテナンスや製品開発に利用する機器の情報を良好に管理する。【解決手段】所定の操作により、最初にＡに示すような製造者コードもしくはサービスマンコードの入力を促す画面が表示される。そして、入力されたコード番号が正しいときは、Ｂに示すような情報コードの入力画面となり、表示された項目が選択される。また、Ｃに示すような処理コードの入力画面、Ｄに示すような部品コードの入力画面となり、それぞれ表示された項目が選択される。さらに、Ｅに示すような情報の入力を終了するか否かを問う画面となり、「１．はい」が選択されたときは動作が終了し、「２．いいえ」が選択されたときは、Ｃの画面に戻される。【選択図】　　　　図４
2004138905.tif 000002
【特許請求の範囲】
【請求項１】
機器本体の動作を制御する操作手段と、前記制御を補助する画面を表示する表示手段とが設けられた機器であって、
前記操作手段及び表示手段に関連して記憶手段が設けられ、
前記表示手段に情報収集のための画面を表示し、
前記画面に沿って前記操作手段が操作された情報を前記記憶手段に記憶する
ことを特徴とする機器。
【請求項２】
請求項１に記載の機器において、
情報ネットワークに接続される通信手段をさらに有し、
前記記憶手段に記憶された情報を前記通信手段により前記情報ネットワーク上のサーバに送信する
ことを特徴とする機器。
【請求項３】
請求項１または２に記載の機器において、
前記情報収集のための画面の表示は前記操作手段が特定の操作をされたときのみ起動し、
前記情報収集のための画面を表示しているときのみ前記操作手段の操作による情報を前記記憶手段に記憶する
ことを特徴とする機器。
【請求項４】
請求項１〜３の何れかに記載の機器において、
前記操作手段の操作により前記記憶手段に記憶される情報は前記機器本体の製造時情報及び／またはメンテナンス情報である
ことを特徴とする機器。
【請求項５】
機器本体に設けられる表示手段に情報収集のための画面を表示するステップと、
前記画面に沿って前記機器本体に設けられる操作手段が操作された情報を収集するステップと、
前記収集された操作手段の操作の情報を前記機器本体に設けられる記憶手段に記憶するステップと
を有することを特徴とする機器の情報収集方法。
【請求項６】
請求項５に記載の機器の情報収集方法において、
情報ネットワークとの通信ステップをさらに有し、
前記記憶手段に記憶された情報を前記情報ネットワーク上のサーバに送信する
ことを特徴とする機器の情報収集方法。
【請求項７】
請求項５または６に記載の機器の情報収集方法において、
前記情報収集のための画面の表示を表示するステップは前記操作手段が特定の操作をされたときのみ起動し、
前記情報収集のための画面を表示しているときのみ前記操作手段の操作による情報を前記記憶手段に記憶する
ことを特徴とする機器の情報収集方法。
【請求項８】
請求項５〜７の何れかに記載の機器の情報収集方法において、
前記操作手段の操作により前記記憶手段に記憶される情報は前記機器本体の製造時情報及び／またはメンテナンス情報である
ことを特徴とする機器の情報収集方法。
【請求項９】
機器本体の動作を制御する操作手段及び前記制御を補助する画面を表示する表示手段及び情報ネットワークに接続される通信手段が設けられた機器と、前記情報ネットワーク上に設けられるサーバとからなる機器の情報収集システムであって、
前記操作手段及び表示手段に関連して記憶手段が設けられ、
前記表示手段に情報収集のための画面を表示し、
前記画面に沿って前記操作手段が操作された情報を前記記憶手段に記憶し、
前記記憶手段に記憶された情報を前記情報ネットワーク上のサーバに送信する
ことを特徴とする機器の情報収集システム。
【請求項１０】
請求項９に記載の機器の情報収集システムにおいて、
前記情報収集のための画面の表示は前記操作手段が特定の操作をされたときのみ起動し、
前記情報収集のための画面を表示しているときのみ前記操作手段の操作による情報を前記記憶手段に記憶する
ことを特徴とする機器の情報収集システム。
【請求項１１】
請求項９または１０に記載の機器の情報収集システムにおいて、
前記操作手段の操作により前記記憶手段に記憶される情報は前記機器本体の製造時情報及び／またはメンテナンス情報である
ことを特徴とする機器の情報収集システム。
【発明の詳細な説明】
【０００１】
【発明の属する技術分野】
本発明は、例えばＯＡ機器や家電品、さらに自動車などの表示手段に表示される画面を用いて操作手段を操作する際の補助を行うようにした機器、及びその機器にかかわる情報の収集を行うための機器の情報収集方法、並びに機器の情報収集システムに関する。
【０００２】
【従来の技術】
機器の製造時には、その製造過程で生じた問題点等の種々の情報が発生する。また、機器の市場での稼動時においても、使用者から営業担当者等に寄せられるクレームや、メンテナンスの際の修理や部品交換等の種々の情報が発生する。そして、このような情報は、機器自体の以後のメンテナンスや、新規の製品の開発などに重要な情報となるものである。
【０００３】
そこで、そのような機器の情報を収集する手段として、従来は、製造技術者や修理サービス担当者、営業担当者等が、それらの情報を例えば図８に示すような保守レポートに記入して機器に添付、もしくはファイルに綴じ込む。あるいは保守レポートの写しからオペレータ等がデータベースに登録することが行われる。これによれば、機器に添付、もしくはファイルの保守レポートを以後のメンテナンスの参考にできると共に、データベースを製品の開発等に活用できる。
【０００４】
しかしながらこれらの方法では、機器に添付、もしくはファイルされた保守レポートが破損したり紛失したりする恐れや、あるいは、保守レポートの写し等からデータベースに登録する事後処理が容易でないために、データベースへの迅速な登録が行われないなど、往々にして収集された情報が活用できない事態が生じる恐れがある。
【０００５】
これに対して、製造技術者や修理サービス担当者、営業担当者等が、直接コンピュータ端末に入力して、その情報をデータベースに登録する方法もとられている。これによれば、データベースへの登録が遅れる恐れもなく、また、修理サービス担当者や営業担当者は、そのコンピュータ端末からデータベースへアクセスして、機器に関して過去に登録された情報を得ることができる。
【０００６】
しかしこの方法では、修理サービス担当者や営業担当者は、常に、その情報をデータベースに登録するためのコンピュータ端末を携帯しなければならず、重くかさのあるコンピュータ端末を携帯することの負担が大きくなるものである。そこで、このようなコンピュータ端末を携帯することによる修理サービス担当者や営業担当者の負担を軽減することが検討されている。
【０００７】
一方、表示手段に表示される画面を用いて、操作手段を操作する際の補助を行うことは、いわゆるＯＡ機器や家電品、さらに自動車などの機器において文献を挙げるまでもなく行われていることである。
また、特許文献１には、機器の内部で発生した障害等を検知して、その検知された障害等を通信手段により機器のメンテナンスを行う支援センター等に通知する技術が記載されている。
さらに、特許文献２、３には、機器に設けられる操作パネルを用いて、例えばサプライ品の発注や、使用されているプログラムの使用期限の延長の操作を行う技術が記載されている。
【０００８】
しかしながら、特許文献１、２及び３に記載のものは、いずれも機器の製造時やメンテナンスの際の情報を良好に収集できるようにするものではない。すなわち、特許文献１に記載のものは、単に機器の内部で発生した障害等を検知して支援センター等に通知するだけのものであり、このような障害等の情報もメンテナンス情報の一部ではあるが、その他の製造時やメンテナンスの際の情報を良好に収集できるものではない。
【０００９】
あるいは、特許文献２及び３に記載のものは、単にサプライ品の発注や、使用されているプログラムの使用期限の延長の操作を、機器に設けられる操作パネルを用いて行う技術が示されているだけのものである。
【００１０】
【特許文献１】
特開２００１−２５０００８号公報
【特許文献２】
特開平１０−３０１４５１号公報
【特許文献３】
特開２００２−２０４３２７号公報
【００１１】
【発明が解決しようとする課題】
すなわち、従来の技術において、保守レポートを用いる方法では情報の収集を良好に行うことができない恐れがあり、また、コンピュータ端末を用いる方法では修理サービス担当者や営業担当者に掛かる負担が大きくなり、いずれも良好な情報の収集を行うことができなかった。
【００１２】
本発明は上記の問題点に鑑みてなされたもので、良好な情報の収集を行える機器及び機器の情報収集方法、並びに機器の情報収集システムを提供することを目的とする。
【００１３】
【課題を解決するための手段】
本発明の課題を解決するため、請求項１に記載した発明は、機器本体の動作を制御する操作手段と、制御を補助する画面を表示する表示手段とが設けられた機器であって、操作手段及び表示手段に関連して記憶手段が設けられ、表示手段に情報収集のための画面を表示し、画面に沿って操作手段が操作された情報を記憶手段に記憶することを特徴とする機器である。
【００１４】
請求項２に記載した発明は、請求項１に記載の機器において、情報ネットワークに接続される通信手段をさらに有し、記憶手段に記憶された情報を通信手段により情報ネットワーク上のサーバに送信することを特徴とするものである。
【００１５】
請求項３に記載した発明は、請求項１または２に記載の機器において、情報収集のための画面の表示は操作手段が特定の操作をされたときのみ起動し、情報収集のための画面を表示しているときのみ操作手段の操作による情報を記憶手段に記憶することを特徴とするものである。
【００１６】
請求項４に記載した発明は、請求項１〜３の何れかに記載の機器において、操作手段の操作により記憶手段に記憶される情報は機器本体の製造時情報及び／またはメンテナンス情報であることを特徴とするものである。
【００１７】
また、本発明の課題を解決するため、請求項５に記載した発明は、機器本体に設けられる表示手段に情報収集のための画面を表示するステップと、画面に沿って機器本体に設けられる操作手段が操作された情報を収集するステップと、収集された操作手段の操作の情報を機器本体に設けられる記憶手段に記憶するステップとを有することを特徴とする機器の情報収集方法である。
【００１８】
請求項６に記載した発明は、請求項５に記載の機器の情報収集方法において、情報ネットワークとの通信ステップをさらに有し、記憶手段に記憶された情報を情報ネットワーク上のサーバに送信することを特徴とするものである。
【００１９】
請求項７に記載した発明は、請求項５または６に記載の機器の情報収集方法において、情報収集のための画面の表示を表示するステップは操作手段が特定の操作をされたときのみ起動し、情報収集のための画面を表示しているときのみ操作手段の操作による情報を記憶手段に記憶することを特徴とするものである。
【００２０】
請求項８に記載した発明は、請求項５〜７の何れかに記載の機器の情報収集方法において、操作手段の操作により記憶手段に記憶される情報は機器本体の製造時情報及び／またはメンテナンス情報であることを特徴とするものである。
【００２１】
さらに、本発明の課題を解決するため、請求項９に記載した発明は、機器本体の動作を制御する操作手段及び制御を補助する画面を表示する表示手段及び情報ネットワークに接続される通信手段が設けられた機器と、情報ネットワーク上に設けられるサーバとからなる機器の情報収集システムであって、操作手段及び表示手段に関連して記憶手段が設けられ、表示手段に情報収集のための画面を表示し、画面に沿って操作手段が操作された情報を記憶手段に記憶し、記憶手段に記憶された情報を情報ネットワーク上のサーバに送信することを特徴とするものである。
【００２２】
請求項１０に記載した発明は、請求項９に記載の機器の情報収集システムにおいて、情報収集のための画面の表示は操作手段が特定の操作をされたときのみ起動し、情報収集のための画面を表示しているときのみ操作手段の操作による情報を記憶手段に記憶することを特徴とするものである。
【００２３】
請求項１１に記載した発明は、請求項９または１０に記載の機器の情報収集システムにおいて、操作手段の操作により記憶手段に記憶される情報は機器本体の製造時情報及び／またはメンテナンス情報であることを特徴とするものである。
【００２４】
【発明の実施の形態】
以下、本発明の一実施形態である機器及び機器の情報収集方法、並びに機器の情報収集システムについて、例えば機器本体の動作を制御する操作手段及び制御を補助する画面を表示する表示手段が本体の一部である操作パネルに設けられている機器について説明する。
【００２５】
すなわち図１は、本発明の機器及び機器の情報収集方法、並びに機器の情報収集システムを、例えば複写機とファクシミリ、プリンタを一体化した複合型電子機器に適用した場合の複合型電子機器の構成を示すブロック図である。
【００２６】
図１において、複写機本体となるスキャナ部１とプリンタ部２とがイメージ用バス３を介して接続される。これらのスキャナ部１とプリンタ部２とに対して制御用バス４を介して制御用中央演算処理装置（Ｃｅｎｔｒａｌ　Ｐｒｏｃｅｓｓｉｎｇ　Ｕｎｉｔ　：以下、ＣＰＵと略称する）５からの制御信号が供給される。これによって、スキャナ部１で読み取られた画像データがプリンタ部２で印刷されて複写機の機能が実現される。
【００２７】
さらに、これらの機能を行うためのプログラム等の記憶された読み出し専用メモリ（Ｒｅａｄ　Ｏｎｌｙ　Ｍｅｍｏｒｙ：以下、ＲＯＭと略称する）６と読み書き可能メモリ（Ｒａｎｄｏｍ　Ａｃｃｅｓｓ　Ｍｅｍｏｒｙ：以下、ＲＡＭと略称する）７とが制御用バス４を介して制御用ＣＰＵ５に接続される。これにより、ＲＯＭ６に記憶されたプログラム等とＲＡＭ７に記憶されたデータに従って、ＣＰＵ５で形成される制御信号が制御用バス４を通じて機器の各部に供給され、機器の動作が制御される。
【００２８】
また、キー入力部及び表示部の制御装置８が制御用バス４に接続され、この制御装置８に表示部９とキー入力部１０が接続される。なお表示部９は例えば液晶ディスプレイにより構成される。また、キー入力部１０は、例えばスイッチ手段からなる操作キーや、表示部９の表面に設けられる透明電極等からなるタッチパネル等によって構成される。これらによって、キー入力部１０からの操作信号が制御用バス４を介して制御用ＣＰＵ５に供給されると共に、制御用ＣＰＵ５で形成された表示データが表示部９に供給されて表示される。
【００２９】
さらに、制御用バス４には、通信モデム１１が接続されて、例えば公衆電話回線網（図示せず）との接続が行われる。これによって、いわゆるファクシミリの機能が実現される。すなわちこの通信モデム１１で受信された画像データは、一旦ハードディスク装置（Ｈａｒｄ　Ｄｉｓｋ　Ｄｒｉｖｅ　：以下、ＨＤＤと略称する）１２に記憶され、このＨＤＤ１２からバッファ装置１３を通じてイメージ用バス３に供給されてプリンタ部２で印刷される。また、スキャナ部１で読み取られた画像データは逆の経路でＨＤＤ１２に記憶され、通信モデム１１を通じて送信される。
【００３０】
また、制御用バス４には、ネットワークボード１４が接続されて、構内情報通信網（Ｌｏｃａｌ　Ａｒｅａ　Ｎｅｔｗｏｒｋ：以下、ＬＡＮと略称する＝図示せず）や、広域情報通信網（Ｗｉｄｅ　Ａｒｅａ　Ｎｅｔｗｏｒｋ　：以下、ＷＡＮと略称する＝図示せず）との接続が行われる。そしてこのネットワークボード１４においても、上述の通信モデム１１の場合と同様に、受信された画像データはＨＤＤ１２等を通じてプリンタ部２で印刷され、またスキャナ部１で読み取られた画像データは逆の経路でネットワークボード１４を通じて送信される。
【００３１】
さらに、制御用バス４には入出力（以下、Ｉ／Ｏと称する）ボード１５が接続され、このＩ／Ｏボード１５に、例えば機器内部の各所に設けられた障害検知用のセンサ群１６からの検知情報が供給される。また、制御用バス４には上述の電子マニュアル等の記憶されたＲＯＭ等のメモリ装置１７が接続される。そして機器の内部に障害が発生した場合には、その検知情報が制御用バス４を通じて制御用ＣＰＵ５で判断され、メモリ装置１７が検索されて検知された障害に応じた表示データが読み出され、この表示データが表示部９に供給されて表示される。
【００３２】
また、制御用ＣＰＵ５により、上述のネットワークボード１４を通じて接続されるＬＡＮ、またはＷＡＮから、さらにインターネット等の情報ネットワーク上のサーバ等（　図７参照）　に接続が行われる。そして上述の制御用ＣＰＵ５での検知情報の判断に従って、情報ネットワーク上のサーバ等に設けられたマニュアル等が検索され、この検索により読み出された表示データが表示部９に供給されて、検知された障害に応じた記述内容が表示されるようにすることもできる。
【００３３】
このようにして、例えば複写機とファクシミリ、プリンタを一体化した複合型電子機器において、表示部９に検知された障害に応じた電子マニュアルが表示される。図２は、本発明が適用される一例としての複合型電子機器の外観図であり、機器の上部に表示部９が設けられている。また、図３は操作パネルの構成を示し、いわゆるテンキーや各種の操作キー等のキー入力部１０が配置された中に表示部９が設けられている。また、この表示部９の表面にはタッチパネル等がキー入力部１０の一部として設けられる。
【００３４】
そして、このような操作パネルを有する機器において、機器の情報収集を行う場合には、まず、上述の図３のキー入力部１０の内で、例えば電源ボタン１０Ａが所定時間以上連続して押されることにより、表示部９に表示される画面が切り換えられ、情報収集の入力モードとされる。すなわち、このとき表示部９には、例えば図４のＡに示すような製造者コード（製造技術者の場合）もしくはサービスマンコード（修理サービス担当者、営業担当者の場合）の入力を促す画面が表示される。
【００３５】
この図４のＡの画面において、キー入力部１０の内のテンキー１０Ｂを用いて所定のコード番号の入力が行われる。なお、このコード番号は、製造技術者や修理サービス担当者、営業担当者等が、各自固有に持っているものであり、このコード番号の入力によって、入力を行った者を特定することができるものである。さらに、このコード番号には任意の冗長度を持たせることにより、誤ったコード番号の入力や、不正なアクセスを防止することが可能となる。
【００３６】
そして、入力されたコード番号が正しいときは、図４のＢに示すような情報コードの入力画面となる。この図４のＢの画面においては、例えば「１．製造時情報」「２．メンテナンス情報」の項目が表示され、それぞれの項目がキー入力部１０の内のテンキー１０Ｂを用いて選択される。すなわち、テンキー１０Ｂの内の「１」または「２」のキーを押すことによって選択が行われる。そして「２」のキーが押されたときは、図４のＣに示すような処理コードの入力画面となる。
【００３７】
図４のＣの画面においては、例えば「１．通常点検」「２．緊急点検」「３．部品交換」の項目が表示され、それぞれの項目がキー入力部１０の内のテンキー１０Ｂを用いて選択される。すなわち、テンキー１０Ｂの内の「１」〜「３」のキーを押すことによって選択が行われる。そして、例えば「３」のキーが押されたときは、図４のＤに示すような部品コードの入力画面となり、例えば「１．感光体ドラム」「２．定着ローラー」「３．定着オイル」の項目が表示される。
【００３８】
さらに、交換された部品が「感光体ドラム」のときには、テンキー１０Ｂの内の「１」のキーが押される。このようにして、これらの各画面において、それぞれの項目を選択することにより、例えばメンテナンス情報の入力が行われ、この入力された情報はメモリ装置１７等に記憶される。そして、表示部９の表示は、図４のＥに示すようなメンテナンス情報の入力を終了するか否かを問う画面となり、「１．はい」が選択されたときは動作が終了し、「２．いいえ」が選択されたときは、図４のＣの画面に戻される。
【００３９】
この動作の流れは、例えば図５のフローチャートに示すように、通常の動作フローの中の任意の位置に設けられるステップ〔Ｘ〕で、例えば電源ボタン１０Ａが所定時間以上連続して押されたか否か判断される。ここで、連続して押されていないとき（ｎｏ）は通常の動作が継続される。これに対して連続して押されたとき（ｙｅｓ　）は、情報収集の入力モードとされる。
【００４０】
そして、情報収集の入力モードでは、まず、ステップ〔１〕で図４のＡの画面が表示され、ステップ〔２〕でコード番号の入力が行われる。さらに、ステップ〔３〕で図４のＢの画面が表示され、ステップ〔４〕で情報コードの入力が行われる。また、ステップ〔５〕で図４のＣの画面が表示され、ステップ〔６〕で処理コードの入力が行われる。さらに、ステップ〔７〕で図４のＤの画面が表示され、ステップ〔８〕で部品コードの入力が行われる。
【００４１】
さらに、ステップ〔９〕では、図４のＥの画面が表示され、ステップ〔１０〕でキーの入力が待機される。そしてステップ〔１１〕で入力されたキーが「１」であるか「２」であるか判断され、「２」のときはステップ〔５〕に戻される。また、ステップ〔１１〕で入力されたキーが「１」のときは、ステップ〔１２〕で入力された情報が記憶装置に記憶されて、通常の動作に戻される。このようにして、メンテナンス時の情報の入力と記憶が行われる。
【００４２】
また、機器の製造時においても、情報入力のモードは、例えば図６のＡに示す製造者コードの入力を促す画面から開始される。この図６のＡの画面において、キー入力部１０の内のテンキー１０Ｂを用いて所定のコード番号の入力が行われる。ただし、この場合に、上述の電源ボタン１０Ａを所定時間以上連続して押すような処理はなくてもよいが、コード番号の入力によって入力を行った者を特定することができるものである。
【００４３】
このコード番号が入力されると、図６のＢに示すような情報コードの入力画面となる。この図６のＢの画面においては、例えば「１．製造時情報」「２．メンテナンス情報」の項目が表示され、それぞれの項目がキー入力部１０の内のテンキー１０Ｂを用いて選択される。すなわち、テンキー１０Ｂの内の「１」または「２」のキーを押すことによって選択が行われる。そして「１」のキーが押されたときは、図６のＣに示すような工程コードの入力画面となる。
【００４４】
図６のＣの画面においては、例えば「１．書込みベース組付」「２．現像駆動部組付」「３．レジストＲ組付」の項目が表示され、それぞれの項目がキー入力部１０の内のテンキー１０Ｂを用いて選択される。すなわち、テンキー１０Ｂの内の「１」〜「３」のキーを押すことによって選択が行われる。そして、例えば「３」のキーが押されたときは、図６のＤに示すような検査結果コードの入力画面となる。
【００４５】
図６のＤの画面においては、例えば「１．本体組付部不良」「２．ローラー組付部不良」の項目が表示される。そして、例えば「２」のキーが押されたときは、図６のＥに示すような処理内容の入力画面となり、例えば「１．未処置」「２．ローラー組付部修理」「３．ローラー交換」の項目が表示される。
【００４６】
このようにして、各画面において、それぞれの項目を選択することにより、例えば製造時情報の入力が行われ、この入力された情報は、メモリ装置１７等に記憶される。そして、表示部９の表示は、図６のＦに示すような製造時情報の入力を終了するか否かを問う画面となり、「１．はい」が選択されたときは動作が終了し、「２．いいえ」が選択されたときは、図６のＣの画面に戻される。
【００４７】
このようにして、例えば複写機とファクシミリ、プリンタを一体化した複合型電子機器において、製造技術者及び修理サービス担当者は、操作パネルの表示部９を見ながらキー入力部１０を操作することにより、容易に情報を登録することができる。そして、この情報は、上述のメモリ装置１７等に記憶されることによって、次に修理を行う際などにメンテナンスの履歴として読み出すことができ、同様の修理が繰り返されていないかなど、修理を行う際の参考にすることができるものである。
【００４８】
さらに、上述のようにして記憶装置１７に記憶された情報は、通信モデム１１やネットワークボード１４を通じて外部の情報ネットワーク等に送信することができる。すなわち、図７において、複数の機器１０１、１０２、１０３はそれぞれインターネット等の情報ネットワーク２００に接続されている。そしてこの情報ネットワーク上にサーバ３００が設けられている。
【００４９】
また、このサーバにはデータ収集制御部３０１が設けられる。そして、この収集制御部３０１では、例えば各機器１０１〜１０３から情報ネットワーク２００を通じて送信される情報を通信部３０３で受信し、受信した上記情報に基づいてデータベース３０２の作成が行われる。
【００５０】
さらに、この作成されたデータベース３０２は、製品の開発等に活用できると共に、例えば機器からの要求に応じて、このデータベース３０２の情報が通信部３０３により機器に送信されることによって、この情報をメンテナンス等の参考にすることもできる。
【００５１】
なお、上述の実施の形態で、上述の図４のＢ〜Ｄ、または図６のＢ〜Ｅに表示される項目は図示の例に限られるものではなく、その項目数やステップ数も増減することが可能である。
【００５２】
また、上述の説明では、製造時情報やメンテナンス情報等の収集のための入力には、キー入力部１０の内のテンキー１０Ｂを用いることとしたが、これは、表示部９の表面に設けられるタッチパネル等を用いて行うことも可能である。
【００５３】
さらに、本発明は、上述の説明に用いた複写機等を一体化した複合型電子機器に限らず、いわゆるＯＡ機器や家電品、さらに自動車などの表示手段を有する機器の全般について実施することができる。
【００５４】
さらに、本発明は、上述の説明した実施の形態に限定されるものではなく、本発明の精神を逸脱することなく種々の変形が可能とされるものである。
【００５５】
【発明の効果】
本発明によれば、良好な情報の収集を行える機器及び機器の情報収集方法、並びに機器の情報収集システムを提供することができる。
【図面の簡単な説明】
【図１】本発明の一実施様態に用いられる複合型電子機器の構成を示すブロック図である。
【図２】その説明のための装置の外観図である。
【図３】その説明のための表示部の構成図である。
【図４】その実施の形態１の動作の説明のための図である。
【図５】その動作の説明のためのフローチャート図である。
【図６】その実施の形態２の動作の説明のための図である。
【図７】本発明の一実施形態における電子データ表示システムを構成するネットワークの形態を示す模式図である。
【図８】従来の技術の説明のための図である。
【符号の説明】
１…スキャナ部、２…プリンタ部、３…イメージ用バス、４…制御用バス、５…制御用ＣＰＵ、６…ＲＯＭ、７…ＲＡＭ、８…制御装置、９…表示部、１０…キー入力部、１１…通信モデム、１２…ハードディスク装置、１３…バッファ装置、１４…ネットワークボード、１５…Ｉ／Ｏボード、１６…障害検知用のセンサ群、１７…メモリ装置
【図１】
2004138905.tif 000003
【図２】
2004138905.tif 000004
【図３】
2004138905.tif 000005
【図４】
2004138905.tif 000006
【図５】
2004138905.tif 000007
【図６】
2004138905.tif 000008
【図７】
2004138905.tif 000009
【図８】
2004138905.tif 000010